【事件の表示】
　特願２０１７−２１４８２９「電子機器、プログラムおよび制御方法」拒絶査定不服審判事件〔令和　１年　６月　６日出願公開、特開２０１９−　８７０３６〕について、次のとおり審決する。
【結　論】
　本件審判の請求は、成り立たない。
【理　由】
第１　手続の経緯 
　本願は、平成２９年１１月７日の出願であって、その後の手続の概要は、以下のとおりである。
　平成２９年１２月１４日付け：拒絶理由通知書
　平成３０年　３月　８日：　　意見書、手続補正書の提出
　平成３０年　４月　５日付け：拒絶理由（最後の拒絶理由）通知書
　平成３０年　６月１４日：　　意見書、手続補正書の提出
　平成３０年　８月１４日付け：平成３０年６月１４日の手続補正についての補正の却下の決定、拒絶査定
　平成３０年１１月２６日：　　審判請求書、手続補正書の提出
第２　平成３０年１１月２６日にされた手続補正についての補正の却下の決定
［補正却下の結論］
　平成３０年１１月２６日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は補正箇所である。）
　「ディスプレイと、
　前記ディスプレイに、実行アプリケーションの表示領域とホームボタンを含むバーとに接するように、前記実行アプリケーションを含むアプリケーションのアイコン
と、ユーザ操作に応じて前記実行アプリケーションを終了しまたはバックグラウンドでの実行に変更するクローズアイコンと、
を備える電子機器。」
（２）本件補正前の特許請求の範囲
　本件補正前の、平成３０年３月８日にされた手続補正により補正された特許請求の範囲の請求項１の記載は次のとおりである。
　「ディスプレイと、
　前記ディスプレイに、実行アプリケーションの表示領域とホームボタンを含むバーとに接するように、前記実行アプリケーションを含むアプリケーションのアイコンを一列に並べたツールバーを表示させるコントローラと、
を備える電子機器。」
２　補正の適否
　本件補正は、上記のとおり、請求項１に記載した発明を特定するために必要な事項である、
「前記実行アプリケーションを含むアプリケーションのアイコンを一列に並べたツールバーを表示させるコントローラ」について、
「前記実行アプリケーションを含むアプリケーションのアイコン
と、ユーザ操作に応じて前記実行アプリケーションを終了しまたはバックグラウンドでの実行に変更するクローズアイコンと、
　また、特許法第１７条の２第３項、第４項に違反するところはない。
　そこで、本件補正後の前記請求項１に記載された発明（以下、「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献１−２の記載事項、引用発明、各周知文献の記載事項
ア　引用文献１の記載事項、引用発明
　原査定の拒絶の理由で引用された、本願の出願前に頒布された又は電気通信回線を通じて公衆に利用可能となった、“Ａｎｄｒｏｉｄ★ＳＱＵＡＲＥ：■ひょっこりＢＯＸ〜シンプルで使いやすいサブランチャー”，［ｏｎｌｉｎｅ］，２０１５年７月２１日，ＵＲＬ，ｈｔｔｐ：／／ｂｌｏｇ．ｌｉｖｅｄｏｏｒ．ｊｐ／ａｎ＿ｓｑｕａｒｅ／ａｒｃｈｉｖｅｓ／５１８８７７０９．ｈｔｍｌ（引用文献１。以下「引用例」という。）には、図面と共に、次の事項が記載されている。（下線は当審で付した。以下同様。）
　
（ア）　１／６ページ
「■
ひょっこりＢＯＸ
　　　・・・（中略）・・・・
今回紹介するのは、シンプルで初心者にも扱いやすい
サブランチャーアプリ
　　　・・・（中略）・・・・
Ａｎｄｒｏｉｄ
ホーム画面
（イ）　２／６ページ
「こんな悩みを容易に解決してくれるのがサブランチャー。
常用するアプリだけを登録しておけば、端末の仕様効率（当審注：「使用効率」の誤記と認める。）がものすごく向上するって訳さ。」
（ウ）　３／６ページ
「まずは環境設定から始めましょう。
メイン画面、右上にある［スパナ］ボタンを押してメニューに入ります。
日本語で記述されているので、あまり悩まずに設定できると思います。
まずは起動方法を指定しましょう。
ステータスバースイッチ、スクリーンスイッチのどちらかをオンにするか、別途ホーム画面に本アプリのウィジェットを設置します。
　（当審注：３つの画面のうち、中央の画面は、以下のとおりである。）
画面左からステータスバースイッチ、
スクリーンスイッチ
どの方法
で
ランチャーは起動し
スクリーンスイッチは、水色固定なので背景によっては目立たないこともあり
（エ）　４／６ページ
「ここに
登録されているアプリアイコンをタップするとアプリが起動
　　　・・・（中略）・・・
なお、
アプリの表示順はアイコンの長押しで可能で
登録されたアプリの個数が多い場合にはスクロールして表示するタイプで
（オ）　５／６ページ
「
アイコンサイズの設定も変更でき
（カ）　上記「（ウ）　３／６ページ」、上記「（エ）　４／６ページ」、上記「（オ）　５／６ページ」の各画面のアイコン等を参照すると、これらの画面が、周知の
Ａｎｄｒｏｉｄ　ＯＳ搭載スマートホンのディスプレイに表示されたホーム画面
（キ）　上記「（ウ）　３／６ページ」の画面を参照すると、
ランチャー起動前には、ホーム画面の下端に、円形の「ホームボタン」を含むバーが表示され、ホーム画面の右端の中央部に、水色の半円形の「スクリーンスイッチ」が表示されて
（ク）　上記「（エ）　４／６ページ」の「登録されたアプリの個数が多い場合にはスクロールして表示するタイプです」の上の画面、及び、「（オ）　５／６ページ」の「アイコンサイズの設定も変更できます」の上の画面を参照すると、
ランチャー起動後には、ホーム画面の下端に、円形の「ホームボタン」を含むバーが表示され、これと接するように、ホーム画面の右端に、アプリケーションのアイコンを一列に並べた縦長のランチャーが表示されている
（ケ）　引用発明
　上記（ア）−（ク）から、引用例には、次の発明（以下、「引用発明」という。）が記載されていると認められる。
　
「「ひょっこりＢＯＸ」サブランチャーアプリをインストールした、Ａｎｄｒｏｉｄ　ＯＳ搭載スマートホンのディスプレイに表示されたホーム画面において、
　スクリーンスイッチでランチャーは起動し、
　スクリーンスイッチは、水色固定なので背景によっては目立たないこともあり、
　登録されているアプリアイコンをタップするとアプリが起動し、
　アプリの表示順はアイコンの長押しで可能で、
　登録されたアプリの個数が多い場合にはスクロールして表示するタイプであり、
　アイコンサイズの設定も変更でき、
　ランチャー起動前には、ホーム画面の下端に、円形の「ホームボタン」を含むバーが表示され、ホーム画面の右端の中央部に、水色の半円形の「スクリーンスイッチ」が表示されており、
　ランチャー起動後には、ホーム画面の下端に、円形の「ホームボタン」を含むバーが表示され、これと接するように、ホーム画面の右端に、アプリケーションのアイコンを一列に並べた縦長のランチャーが表示されている、
　「ひょっこりＢＯＸ」サブランチャーアプリをインストールした、Ａｎｄｒｏｉｄ　ＯＳ搭載スマートホン。」
イ　引用文献２の記載事項
　原査定の拒絶の理由で引用された、本願の出願前に頒布された又は電気通信回線を通じて公衆に利用可能となった、“ひょっこりＢＯＸ：よく使うアプリを登録しておこう！　サクッと表示されるサブランチャーアプリ”，［ｏｎｌｉｎｅ］，２０１５年９月１日，ＵＲＬ，ｈｔｔｐｓ：／／ｏｃｔｏｂａ．ｎｅｔ／ａｒｃｈｉｖｅｓ／２０１５０９０１−ａｎｄｒｏｉｄ−ａｐｐ−ｈｙｏｋｋｏｒｉ−ｂｏｘ−４５５１０８．ｈｔｍｌ（以下「引用文献２」という。）には、図面と共に、２／６ページ−３／６ページに、次の事項が記載されている。
（ア）　２／６ページ−３／６ページ
「続いて設定メニューより、起動スイッチをＯＮにします。
起動スイッチは
スクリーン
設定できます
ステータスバー、または
スクリーンの水色の部分をタップすると、先ほど登録したアプリが”ひょっこり”と表示されます
このほか、ウィジェットにも対応しています。
ランチャーは他のアプリやゲームを起動しているときにも利用できるので、別のアプリを起動するときにホーム画面に戻る必要はありません
ただし、ゲームアプリを利用する場合は誤タッチしてしまうこともあるので、スクリーン側はＯＦＦにしておいたほうがよさそうです。
　　　・・・（中略）・・・
アプリ名
ひょっこりＢＯＸ　〜サブランチャー〜
価格　　　　　　無料
対応ＯＳ
Ａｎｄｒｏｉｄ３．２以上
バージョン　　　２．４
デベロッパー名　ＷａｌｋｉｎｇＩｄｅａｌｉｓｔ」
（イ）　上記「（ア）　２／６ページ−３／６ページ」の左右の２種類の画面を参照すると、
ランチャー起動前には、「天気予報」の画面、及び、「ゲーム」の画面それぞれの右端の中央部に、（強調用の太枠で囲まれている）水色の半円形の「スクリーンスイッチ」が表示され、「他のアプリやゲーム起動中も」と記載されている
ウ　周知文献３の記載事項
　前置報告で引用された、本願の出願前に頒布された又は電気通信回線を通じて公衆に利用可能となった、特表２０１６−５３１３４０号公報（以下「周知文献３」という。）の平成２８年７月２２日付け「誤訳訂正書」で補正された明細書には、図面（特に、【図３】）と共に、次の事項が記載されている。
（ア）　段落【００４６】
「【００４６】
上記モバイル操作システムは
直接完全アプリケーション終了機能を備え
アプリケーションのインターフェースで、１本又はそれ以上の指を用いて、画面下端から下から上にスライドし、又は画面上端から上から下にスライドして、直接該アプリケーションを完全に終了し、
又は、アプリケーションのインターフェースで、システムのメニューバーを引き出すことができ、
メニューバー上に仮想終了ボタンがあり、仮想終了ボタンをクリックすると直接該アプリケーションを完全に終了し
又は、アプリケーションのインターフェースで、ホームボタンを長押しすると、直接該アプリケーションを完全に終了し、
又は、アプリケーションのインターフェースで、電源ボタンをクリックすると、直接該アプリケーションを完全に終了し、
又は、アプリケーションのインターフェースで、システムは装置が画面を下向きにして回転し、かつ画面と水平面の間の角度が設定値以下であると検出する場合は、システムが直接該アプリケーションを完全に終了し、
アプリケーションのインターフェースで、ホームボタンをダブルクリックして前に実行中のアプリケーションを直接開き、それによりアプリケーション間を素早く切り替え、
ホームボタン及び音量ボタンを同時に押すと画面照度を調整する。
上記のモバイル操作システムは、ユーザーの重要な連絡先の全ての情報を１カ所に統合する重要連絡先アプリケーションを備える。ユーザーの重要な連絡先の頭の写真が重要連絡先アプリケーションのアイコンであり、重要連絡先アプリケーションのアイコンをクリックすると該重要連絡先に関する全ての下位オプションを表示する。
ユーザーが重要な連絡先の写真をデスクトップの背景写真として設定した後に、重要連絡先アプリケーションが、デスクトップの背景写真を結合しうる。ユーザーが１本又はそれ以上の指で背景写真をクリックすると、直接下位オプションに変更する。ユーザーが背景写真を固有の経路に沿ってスライドすると、背景写真内の重要な連絡先に関する固有の機能を直接開く。固有の機能は電話の発信、メッセージの送信、音声メッセージを残すこと、ビデオ通話等を含む。ソーシャルネットワークでのユーザーと重要な連絡先との同意が、背景写真に自動的に表示する重要な連絡先のソーシャルの個人のアップデート状態を提供する。」
（イ）　段落【０２０６】−【０２１０】
「【０２０６】
本発明の操作システムは、直接完全アプリケーション終了機能を備え、「クイック終了」、または「クイック完全終了」と呼ばれる
ｉＯＳとＡｎｄｒｏｉｄでは、ユーザーは、物理または仮想ホームボタンをクリックし、現在実行中のアプリケーションを終了させる。しかし、このアプリケーションは実際、バックグラウンドで実行されている
【０２０７】
本発明の操作システムは、ユーザに終了ボタンを用意している。ユーザーは、あるアプリケーションを使用終了後、このアプリケーションの実行を継続したいと願っているのであれば、ホームボタンをクリックして、ホーム画面または他のアプリケーションに切り替える。
【０２０８】
ときに、
ユーザーは、あるアプリケーションの使用終了後、このアプリケーションを完全に終了したいと願っているのであれば、本発明の提供する終了ボタンをクリックすればよい
【０２０９】
本発明の終了ボタンの設定は、図７に示すように、アプリケーションインターフェース上の画面の下部において、下から上にスライドして、完全にこのアプリケーションを終了する。図７の例では、画面下部の中央部分から、下から上へスライドする。本発明はまた、画面の下部の両端から、下から上へスライドすることもできる。また、画面上部の中央部分から、または画面上部の両端から、上から下へスライドするように設定することもできる。上記４つのスライド操作は、１本指であってもよいし、複数の指であってもよい。
【０２１０】
本発明の終了ボタンの設定は、メニューバー３６上に仮想ボタンを設定し、「終了ボタン」と名付けて、形状がクロス（Ｘ）とすることができる。メニューバーは、図３に示すように、画面の下部にあることができ、また、画面の上部に配置することもできる
エ　周知文献４の記載事項
　本願の出願前に頒布された又は電気通信回線を通じて公衆に利用可能となった、特開２０１３−６５２８８号公報（以下「周知文献４」という。）には、図面（特に、【図１２】）と共に、段落【０１０１】−【０１１０】に、次の事項が記載されている。
「【０１０１】
　図１２は、第２実施形態に係るスマートフォンが行う制御の第３の例を示す図である。ステップＳ５１では、履歴リスト４５がホーム画面４０の下部に表示されている。
履歴リスト４５の左端には、ゴミ箱アイコン５６が表示されている。そして、ゴミ箱アイコン５６の右側には、“Ｂｒｏｗｓｅｒ”アイコン、“Ｍｕｓｉｃ”アイコン、“Ｃａｍｅｒａ”アイコンが表示されている
【０１０２】
　そして、ステップＳ５１では、利用者の指Ｆ１が、“Ｃａｍｅｒａ”アイコンに対応する領域に接触した状態で、ホーム画面４０の左方向へ高速で移動しながらタッチスクリーン２Ｂ（タッチスクリーンディスプレイ２）から離れている。この場合、スマートフォン１は、タッチスクリーンディスプレイ２を介して、“Ｃａｍｅｒａ”アイコンに対する左フリックを検出する。すなわち、スマートフォン１は、“Ｃａｍｅｒａ”アイコンに対する、ゴミ箱アイコン５６へ向かう方向へのフリックを検出する。
【０１０３】
　スマートフォン１は、“Ｃａｍｅｒａ”アイコンに対する左フリックを検出すると、ステップＳ５２に示すように、３つのアイコン５５を左方向へ移動するようにディスプレイ２Ａに表示する。また、スマートフォン１は、ゴミ箱アイコン５６を、蓋が開いた状態でディスプレイ２Ａに表示する。このとき、スマートフォン１は、上記の３つのアイコン５５を、左方向へ移動するにつれて次第に小さくなりながら蓋が開いた状態のゴミ箱アイコン５６に吸い込まれるように表示する。
【０１０４】
　ステップＳ５２に示す状態から全てのアイコンがゴミ箱アイコン５６に吸い込まれると、ステップＳ５３に示すように、３つのアイコン５５の表示が消去され、履歴リスト４５にはゴミ箱アイコン５６のみが表示された状態となる。
このとき、スマートフォン１は、消去したアイコン５５に対応するアプリケーションを終了する
【０１０５】
　スマートフォン１は、ステップＳ５３で３つのアイコン５５の表示を消去した後に、ステップＳ５４として、履歴リスト４５に再び３つのアイコン５５（“ＳＭＳ”アイコン、“Ｎａｖｉｇａｔｅ”アイコンおよび“Ｍａｉｌ”アイコン）を表示する。これらは、“Ｃａｍｅｒａ”アプリケーションよりも先に実行されたアプリケーションに対応するアイコンである。スマートフォン１は、ステップＳ５３でアイコンの表示を消去した後に、これらのアイコン５５を、履歴リスト４５の右端から左方向へスライドするようにして出現させてもよい。
【０１０６】
　なお、図１２に示す第３の例では、ゴミ箱アイコン５６に向かうフリックが履歴リスト４５の右端に位置する“Ｃａｍｅｒａ”アイコンに対して行われているが、本発明はこれに限定されない。例えば、スマートフォン１は、“Ｍｕｓｉｃ”アイコンに対する左フリックが検出された場合、“Ｍｕｓｉｃ”アイコンおよび“Ｍｕｓｉｃ”アイコンとゴミ箱アイコン５６とに挟まれた“Ｂｒｏｗｓｅｒ”アイコンを消去すると共にそれらのアイコンに対応するアプリケーションを終了してもよい。この場合、“Ｃａｍｅｒａ”アイコンは消去されず、“Ｃａｍｅｒａ”アプリケーションは終了されない。同様に、スマートフォン１は、“Ｂｒｏｗｓｅｒ”アイコンに対するゴミ箱アイコン５６へのフリックが検出された場合、“Ｂｒｏｗｓｅｒ”アイコンのみを消去すると共に、“Ｂｒｏｗｓｅｒ”アプリケーションのみを終了する。
【０１０７】
　また、スマートフォン１は、フリックの対象であるアイコンとゴミ箱アイコン５６との間に配置されるアイコンを消去しなくてもよいし、そのアイコンに対応するアプリケーションを終了しなくてもよい。例えば、スマートフォン１は、ステップＳ５１で“Ｃａｍｅｒａ”アイコンに対する左フリックが検出された場合に、“Ｃａｍｅｒａ”アイコンのみを消去すると共に“Ｃａｍｅｒａ”アプリケーションのみを終了してもよい。
【０１０８】
　また、スマートフォン１は、アイコン５５に対するゴミ箱アイコン５６へのドラッグが検出された場合にも、アイコン５５の表示を消去すると共に当該アイコン５５に対応するアプリケーションを終了してよい。
【０１０９】
　以上に述べたように、第２実施形態に係るスマートフォン１は、履歴リスト４５に表示されたアイコン５５に対する所定方向へのフリックジェスチャが検出されると、そのアイコン５５に対応するアプリケーションを終了する。これにより、スマートフォン１は、フォアグランドまたはバックグランドで実行しているアプリケーションを簡便な操作により終了することができるため、操作性が向上する。
【０１１０】
　なお、第２実施形態に係るスマートフォン１も、図９に示す第１実施形態の第２の例と同様に、例えばフリックされるアイコン５５とゴミ箱アイコン５６とに挟まれるアイコンに対応するアプリケーションが所定のアプリケーションである場合には、アイコンの消去およびアプリケーションの終了に係る処理を行わなくてもよい。ただし、スマートフォン１は、上記所定のアプリケーションを示すアイコンに対する左フリックが検出された場合には、アイコンの消去およびアプリケーションの終了に係る処理を行ってもよい。」
オ　周知文献５の記載事項
　本願の出願前に頒布された又は電気通信回線を通じて公衆に利用可能となった、特開２０１４−２３５６１２号公報（以下「周知文献５」という。）には、図面（特に、【図３】）と共に、段落【００２３】−【００２６】に、次の事項が記載されている。
「【００２３】
　表示処理部１５３は、タッチパネル１１０に画面情報を出力し、タッチパネルに所定の画面を表示させる。例えば、タッチパネル１１０に表示させる画面には、複数のアイコンが含まれる。図３は、表示処理部がタッチパネルに表示させる画面の一例を示す図である。
図３に示す例では、タッチパネル１１０に、アイコン２０ａ、２０ｂ、２０ｃが表示されている
【００２４】
　
表示処理部１５３は、各アイコン２０ａ〜２０ｃと、各アプリとを対応付けており、利用者によってアイコンがタッチされた場合には、アイコンに対応するアプリを起動する
【００２５】
　
表示処理部１５３は、アプリに対応する画面を表示している間に、画面に表示されている終了ボタンをタッチされた場合には、起動中のアプリを終了する
【００２６】
　表示処理部１５３は、各アイコン２０ａ〜２０ｃの領域および終了ボタンの領域の情報を保持しており、補正部１５２から取得する入力座標Ｐ’と、各領域の情報とを比較して、各アイコンや終了ボタンがタッチされたか否かを判定するものとする。例えば、表示処理部１５３は、アイコン２０ａの領域内に、入力座標Ｐ’が含まれている場合には、アイコン２０ａがタッチされたと判定する。」
カ　周知文献６の記載事項
　本願の出願前に頒布された又は電気通信回線を通じて公衆に利用可能となった、特開２０１７−１０７５１３号公報（平成２９年６月１５日公開。以下「周知文献６」という。）には、図面（特に、【図４】）と共に、段落【００５４】−【００６３】に、次の事項が記載されている。
「【００５４】
　
図４に示されているように、画面２００においては、作業車両選択を行うことができるトップページが表示されている
【００５５】
　画面２００は、通信が可能である作業車両５０に対応して表示されてもよい。
【００５６】
　そして、画面２００は、当該アプリケーションが起動されたタイミングで表示される初期画面として採用されてもよい。
【００５７】
　ボタンアイコン２０１は、登録された作業車両である田植機１号に関する画面を表示するためのボタンアイコンである。ボタンアイコン２０１の状態は、タッチ選択で影付きとなるように変化している。
　　　・・・（中略）・・・
【００６１】
　ボタンアイコン２０５は、農作業計画カレンダーがその大部分に表示される画面３００などを表示するためのボタンアイコンである。
【００６２】
　
ボタンアイコン２０６は、当該アプリケーションを終了するためのボタンアイコンである
【００６３】
　ボタンアイコン２０７は、設定に関する画面を表示するためのボタンアイコンである。」
（３）引用発明との対比
ア　本件補正発明と引用発明とを対比する。
　
（ア）　引用発明の「「ひょっこりＢＯＸ」サブランチャーアプリをインストールした、Ａｎｄｒｏｉｄ　ＯＳ搭載スマートホンのディスプレイ」は、本件補正発明の「ディスプレイ」に対応する。
（イ）　引用発明の「アプリケーションのアイコンを一列に並べた縦長のランチャー」は、本願補正発明の「ツールバー」に対応する。
　引用発明の「ひょっこりＢＯＸ」サブランチャーアプリをインストールした、Ａｎｄｒｏｉｄ　ＯＳ搭載スマートホンのディスプレイについての、各種の表示制御は、スマートホンを構成する、ＣＰＵなど何らかの「コントローラ」によって行われることが自明であるといえる。
　よって、引用発明で「ランチャー起動後には、ホーム画面の下端に、円形の「ホームボタン」を含むバーが表示され、これと接するように、ホーム画面の右端に、アプリケーションのアイコンを一列に並べた縦長のランチャーが表示されている」ことは、本件補正発明の「前記ディスプレイに、
実行アプリケーションの表示領域と
と
と、ユーザ操作に応じて前記実行アプリケーションを終了しまたはバックグラウンドでの実行に変更するクローズアイコンと、
（ウ）　引用発明の「「ひょっこりＢＯＸ」サブランチャーアプリをインストールした、Ａｎｄｒｏｉｄ　ＯＳ搭載スマートホン」は、本件補正発明の「電子機器」に対応する。
イ　一致点・相違点
　以上のことから、本件補正発明と引用発明との一致点及び相違点は、次のとおりである。
　
［一致点］
「ディスプレイと、
　前記ディスプレイに、ホームボタンを含むバー、に接するように、前記実行アプリケーションを含むアプリケーションのアイコン、を一列に並べたツールバーを表示させるコントローラと、
を備える電子機器。」　　　　　　　　　　　　　　　　　　　　　　　　　　　　　　
［相違点１］
　本件補正発明の「ツールバー」は表示される際に、「実行アプリケーションの表示領域と」ホームボタンを含むバーとに「接するように」表示されるのに対して、引用発明の「アプリケーションのアイコンを一列に並べた縦長のランチャー」は、「ホーム画面」に表示されるものであって、そもそも「実行アプリケーションの表示領域と」は一緒に表示されておらず、当然に「実行アプリケーションの表示領域と」「接するように」表示されることは特定されていない点。
［相違点２］
　本件補正発明の「ツールバー」の表示内容は、前記実行アプリケーションを含むアプリケーションのアイコン「と、ユーザ操作に応じて前記実行アプリケーションを終了しまたはバックグラウンドでの実行に変更するクローズアイコンと」を一列に並べたものであるのに対して、引用発明の「ランチャー」の表示内容は、「アプリケーションのアイコンを一列に並べた」ものであって、アプリケーションのアイコンと「ユーザ操作に応じて前記実行アプリケーションを終了しまたはバックグラウンドでの実行に変更するクローズアイコン」を「一列に並べた」ものではない点。
（４）判断
［相違点１］について
　上記のとおり、引用発明の「アプリケーションのアイコンを一列に並べた縦長のランチャー」は、「ホーム画面」に表示されるものであって、「実行アプリケーションの表示領域と」「接するように」ランチャーを表示することは特定されていない。
　しかし、引用文献２には、引用発明と同じ「ひょっこりＢＯＸ」サブランチャーアプリについて、実行アプリケーション起動中の「天気予報」画面や、「ゲーム」画面にも、引用発明のホーム画面と同様の、ランチャーを起動するための水色の半円形の「スクリーンスイッチ」が表示されているから（上記（２）「イ　引用文献２の記載事項」、特に下線部を参照。）、引用発明でも同様に、「ゲーム」等の実行アプリケーション起動中の「実行アプリケーションの表示領域」に、「ランチャー」起動用の「スクリーンスイッチ」が表示されると解するのが自然である。
　そして、この状態で「ランチャー」起動用の「スクリーンスイッチ」にタッチすれば、「実行アプリケーションの表示領域」に、起動された「ランチャー」が表示されると解するのが自然である。
　ここで、一般に、ウインドウなどのオブジェクトを画面上に新たに配置する際、既存の画面と隣り合わせに「接するように」オブジェクトを配置することも、既存の画面の上に「重なるように」オブジェクトも配置することも極めて普通に行われており、このような複数のオブジェクト間の配置関係の具体的形態は、ユーザインタフェースの設計において、使い勝手等を考慮して当業者が適宜選択すべき設計的事項であると認められる。
　したがって、引用発明において、「ゲーム」等の「実行アプリケーションの表示領域」の画面において、「ホーム画面」の場合と同様に、「ランチャー」を表示させるとともに、この際、ランチャーを「実行アプリケーションの表示領域と」「接するように」表示させるように構成することによって、上記［相違点１］に係る構成とすることは、当業者が容易になし得たものである。
［相違点２］について
　一般に、ユーザの使い勝手等を考慮して、利用しないアプリケーションを終了したり、バックグラウンドでの実行に切り替えるための「アイコン」や「ボタン」等を画面上に設けることは、上記の周知文献３−６に記載されるように、周知技術である（上記（２）「ウ　　周知文献３の記載事項」−「カ　周知文献６の記載事項」、特に下線部を参照。）
　よって、引用発明において、利用しないアプリケーションを終了したり、バックグラウンドでの実行に切り替えるためのアイコンやボタンを画面上に設ける上記周知技術を付加するとともに、その際、アイコンやボタンの配列は当業者が適宜決定し得る設計的事項であって、引用発明において、ランチャー上にはアイコンが一列に並んでいることを考慮すれば、これらのアイコンとともに、仮想終了ボタンを一列に並べることによって、上記［相違点２］に係る構成とすることは、当業者が容易になし得たものである。
　そして、本件補正発明の奏する作用効果は、当業者であれば、引用発明、引用文献２に記載された事項、及び、周知技術から予測できる範囲内のものにすぎず、格別顕著なものということはできない。
　
　したがって、本件補正発明は、引用発明、引用文献２に記載された事項、及び、周知技術に基づいて、当業者が容易に発明をすることができたものであり、特許法第２９条第２項の規定により、特許出願の際独立して特許を受けることができないものである。
（５）本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１　本願発明
　平成３０年１１月２６日付けの手続補正は上記のとおり却下されたので、本願の請求項に係る発明は、平成３０年３月８日にされた手続補正により補正された特許請求の範囲の請求項１−１０に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１−１０に係る発明は、本願出願前に頒布された又は電気通信回線を通じて公衆に利用可能となった下記の引用文献１−８に記載された発明に基づいて、その出願前にその発明の属する技術分野における通常の知識を有する者が容易に発明をすることができたものであるから、特許法第２９条第２項の規定により特許を受けることができない、というものである。
　引用文献１：“Ａｎｄｒｏｉｄ★ＳＱＵＡＲＥ：■ひょっこりＢＯＸ〜シンプルで使いやすいサブランチャー”，［ｏｎｌｉｎｅ］，２０１５年７月２１日，ＵＲＬ，ｈｔｔｐ：／／ｂｌｏｇ．ｌｉｖｅｄｏｏｒ．ｊｐ／ａｎ＿ｓｑｕａｒｅ／ａｒｃｈｉｖｅｓ／５１８８７７０９．ｈｔｍｌ
　引用文献２：ひょっこりＢＯＸ：よく使うアプリを登録しておこう！　サクッと表示されるサブランチャーアプリ”，［ｏｎｌｉｎｅ］，２０１５年９月１日，ＵＲＬ，ｈｔｔｐｓ：／／ｏｃｔｏｂａ．ｎｅｔ／ａｒｃｈｉｖｅｓ／２０１５０９０１−ａｎｄｒｏｉｄ−ａｐｐ−ｈｙｏｋｋｏｒｉ−ｂｏｘ−４５５１０８．ｈｔｍｌ
　引用文献３：国際公開第２００８／０１６０３１号
　引用文献４：特開２０１５−８７８６１号公報
　引用文献５：ｉＰｈｏｎｅ本体の回転による操作，［０ｎｌｉｎｅ］，２０１５年３月２６日，ＵＲＬ，ｈｔｔｐ：／／ｓｉｍｐｌｅｇｕｉｄｅ．ｂｌｏｇ．ｊｐ／ａｒｃｈｉｖｅｓ／２５５８６５２８．ｈｔｍｌ
　引用文献６：特開２００９−２１７８１５号公報
　引用文献７：米国特許出願公開第２００７／０１１８８１３号明細書
　引用文献８：特開２０１６−７２８８８号公報
３　引用例
　原査定の拒絶の理由で引用された引用文献１（「引用例」）、引用文献２、及びその記載事項は、前記第２［理由］２（２）に記載したとおりである。
　
４　対比・判断
　本願発明は、前記第２［理由］２で検討した本件補正発明から、「前記実行アプリケーションを含むアプリケーションのアイコンを一列に並べたツールバーを表示させるコントローラ」に係る限定事項を省いたものである。
　そうすると、本願発明の構成要件を全て含み、さらに他の構成要件を付加したものに相当する本件補正発明が、上記第２［理由］２（３）、（４）に記載したとおり、引用発明、引用文献２に記載された事項、及び、周知技術に基づいて、当業者が容易に発明をすることができたものであるから、本願発明も、同様の理由により、引用発明、引用文献２に記載された事項、及び、周知技術に基づいて、当業者が容易に発明をすることができたものである。　
第４　むすび
　以上のとおり、本願発明は、特許法第２９条第２項の規定により特許を受けることができないから、他の請求項に係る発明について論及するまでもなく、本願は拒絶されるべきものである。
　よって、結論のとおり審決する。